(57)【要約】      （修正有）【課題】最初のテンキーによる電気信号記録を残したまま機械的に且つ一時的に非常解錠することができ、再びテンキーの操作で再度施錠操作することを不要にする。【解決手段】ラッチ１０の９０度回転域範囲内においてシリンダー錠１１の上側（解錠）位置と左側（施錠）位置とに、ソレノイド３１通電入力用のスイッチをそれぞれ配置し、ラッチ１０が解錠方向または施錠方向に回転したときには、上側（解錠）位置または左側（施錠）位置のスイッチがＯＮ状態となってソレノイド３１を通電することでロックレバー３７でラッチ１０の係合部１０ａを係止して施解錠を阻止する。また、マスターキーの挿入により、リンクレバーピン４１を押して、リンクレバー４４の押片部４４ａでロックレバー３７を押圧することでロックレバー３７はラッチ１０の係合部１０ａから退避し、ラッチ１０を回転可能にする。【選択図】図６
2008127885.tif 000002
【特許請求の範囲】
【請求項１】
シリンダー錠のキー挿入孔の内奥中央部から錠取付プレートにかけて貫通配置され、シリンダー錠内方に向けて常時付勢されて成るリンクレバーピンと、錠取付プレート下面側に回動可能に枢着され、前記リンクレバーピンの先端との連繋部、ロックレバーを押圧する押片部それぞれを備えたリンクレバーとを備え、マスターキーの挿入により、リンクレバーピンが押されてリンクレバーを揺動させ、当該リンクレバーの押片部が、ロックレバー後端を押圧することで当該ロックレバーをラッチの係合部から係合解除方向に退避させ、マスターキーを介してのラッチの回転を許容させるものとしたカードキー・テンキー式錠前装置。
【請求項２】
正規のカードキーの挿入によってシリンダー錠におけるラッチの係止を解除し、テンキーの操作によってソレノイドを介してロックレバーを、ラッチの係合部から係合解除方向に退避させると共に、ラッチの９０度回転域範囲内においてシリンダー錠の上側（解錠）位置と左側（施錠）位置とに、ソレノイド通電入力用のスイッチがそれぞれ配置され、ラッチが解錠方向または施錠方向に回転したときには、上側（解錠）位置または左側（施錠）位置のスイッチがＯＮ状態となってソレノイドを通電させることでロックレバーでラッチの係合部を係止させて施解錠を阻止するものとしたことを特徴とするカードキー・テンキー式錠前装置。
【請求項３】
ケーシングには、ベースプレート後方の複数のガイドピース取付部分を露出させるために形成された開口部を閉蓋させるガイドピースカバーを備え、当該ガイドピースカバーを外して開口部を開放させることでガイドピースの取付位置を変更可能としたことを特徴とする請求項１または２記載のカードキー・テンキー式錠前装置。
【発明の詳細な説明】
【技術分野】
【０００１】
本発明は、専用のカードのみならず、クレジットカードや定期券カード等の一般のカード類を使用することを可能にし、且つ非常解錠後の再度施錠時に、テンキーを操作して消去した電気信号記録の入力を不要とした低コストで且つ簡易な構造によるカードキー・テンキー式錠前装置に関する。
【背景技術】
【０００２】
従来、カード、テンキーおよび通常使用キーによる施錠中における非常解錠を行う場合には、いったんテンキーの電気信号記録を解除して解錠するのが一般的である。したがって、非常解錠後に再度施錠するには、消去した電気信号記録を再びテンキーを操作して入力させなければならない。
【０００３】
また、従来におけるカードキー式錠前装置としては、本出願人自身によって出願され、特許登録となった特許文献１に開示されている技術がある。すなわち、このカードキー式錠前装置は、無施錠時には、作動板がベースプレートの収納凹部内においてスプリングにより回動付勢されて先端側が所要角度立ち上がっているため、開口部のカードキーストッパはベースプレートの孔の上面側に位置していてカードキー差込口から退去している。
【０００４】
このとき、シリンダー錠のラッチの係合ピンは作動板の開口部に設けられたガイド片の係合凹部に弾圧状態で係合され、さらに錠係止板はスプリングにより付勢されてスライド溝の前端側へ移行し、先端のピンストッパがベースプレートの長孔の先端から上方へ貫通突出していてシリンダー錠の係合ピンを係止しているため、キー操作によるシリンダー錠のラッチの回動を阻止している。
【０００５】
このような状態において、カードキーをカードキー差込口から差し込んでケーシングの底部上のベースプレートの凹部内へ収納するが、このときカードキーの後端縁が錠係止板後端の係止片に当接して当該錠係止板をベースプレートのスライド溝内をスプリングのバネ力に抗して後退させるため、先端のピンストッパも長孔内を後退し、シリンダー錠の係合ピンに対する係止を解除する。
【０００６】
そこで、シリンダー錠の錠孔に差し込んだキーを回動させると、ラッチの係合ピンが錠取付プレートのガイド孔に沿って移動するのに伴い、作動板のガイド片の凹部を摺動して当該作動板を押圧回動させつつラッチを約９０度回動してケーシングから突出しケース体の凹部内へ嵌入する。これによって扉板はケース体へ閉成状態に施錠ロックされる。
【０００７】
カードキーとして専用カードキーを使用するときは、ベースプレート後部のフレームの嵌合凹部へガイドピースを嵌合しておく。これにより、専用カードキーがケーシングの底板上においてベースプレートの凹部内へ収納されたとき、当該カードキー後端縁に設けられた凹部が上記ガイドピースの半球状の係合体内へ係合するため、錠係止板はシリンダー錠が施錠可能な状態まで後退する。
【０００８】
カードキーとして一般のカードキー（クレジットカード、定期券カード等）を使用するときは、ベースプレート後部のフレームの嵌合凹部に嵌合したガイドピースを外しておく。これにより、カードキーがケーシングの底板上においてベースプレートの凹部内へ収納されたとき、当該カードキー後端縁がフレーム内側へ当接するため、錠係止板はシリンダー錠が施錠可能な状態まで後退する。
【０００９】
而して、シリンダー錠が施錠ロックした状態のとき、ラッチの係合ピンは作動板を下側へ押圧保持していてそのカードキーストッパがベースプレートの孔を挿通してカードキー差込口内へ突出しているため、内部のカードキーの取り出しおよび新たなカードキーの差し込みはいずれも阻止される。
【特許文献１】特許第３６９２２５０号公報
【発明の開示】
【発明が解決しようとする課題】
【００１０】
しかしながら、従来においては、非常解錠を行う場合、いったんテンキーの電気信号記録を解除して解錠しなければならず、しかも非常解錠後に再度施錠する場合にも、消去した電気信号記録をテンキーを操作して再度入力させなければならないため、非常に面倒な作業となる。
【００１１】
また、特許文献１においては、カードキーとして専用カードキーを使用するときは、当該専用カードキーの凹部の位置に対応して、ベースプレート後部のフレームの嵌合凹部へガイドピースを嵌合しておき、また、カードキーとして一般のカードキー（クレジットカード、定期券カード等）を使用するときは、ベースプレート後部のフレームの嵌合凹部に嵌合したガイドピースを外しておく。そのためには、ケーシングのカバー全体を外さなければならず、しかもケーシングに対するカバーの取り付けは多数のネジやボルト・ナット等を使用して行うため、着脱操作が非常に面倒なものとなる。
【００１２】
そこで、本発明は、叙上のような従来存した諸事情に鑑み案出されたもので、最初のテンキーによる電気信号記録を残したまま機械的に且つ一時的に非常解錠することができ、これによって再びテンキーの操作で再度施錠操作することを不要とすることができると共に、カードキーの種類に応じてのガイドピースの取り外しもしくは交換に際し、多数のネジやボルト・ナット等を外してケーシングのカバー全体を外すような面倒な作業を行わなくても、ガイドピースを容易に取り外しもしくは交換することができるカードキー・テンキー式錠前装置を提供することを目的とする。
【課題を解決するための手段】
【００１３】
上述した課題を解決するため、本発明にあっては、シリンダー錠のキー挿入孔の内奥中央部から錠取付プレートにかけて貫通配置され、シリンダー錠内方に向けて常時付勢されて成るリンクレバーピンと、錠取付プレート下面側に回動可能に枢着され、前記リンクレバーピンの先端との連繋部、ロックレバーを押圧する押片部それぞれを備えたリンクレバーとを備え、マスターキーの挿入により、リンクレバーピンが押されてリンクレバーを揺動させ、当該リンクレバーの押片部が、ロックレバー降端を押圧することで当該ロックレバーをラッチの係合部から係合解除方向に退避させ、マスターキーを介してのラッチの回転を許容させることを特徴とする。
【００１４】
正規のカードキーの挿入によってシリンダー錠におけるラッチの係止を解除し、テンキーの操作によってソレノイドを介してロックレバーを、ラッチの係合部から係合解除方向に退避させると共に、ラッチの９０度回転域範囲内においてシリンダー錠の上側（解錠）位置と左側（施錠）位置とに、ソレノイド通電入力用のスイッチがそれぞれ配置され、ラッチが解錠方向または施錠方向に回転したときには、上側（解錠）位置または左側（施錠）位置のスイッチがＯＮ状態となってソレノイドを通電させることでロックレバーでラッチの係合部を係止させて施解錠を阻止するものとしたことを特徴とする。
【００１５】
ケーシングには、ベースプレート後方の複数のガイドピース取付部分を露出させるために形成された開口部を閉蓋させるガイドピースカバーを備え、当該ガイドピースカバーを外して開口部を開放させることでガイドピースの取付位置を変更可能としたことを特徴とする。
【発明の効果】
【００１６】
本発明によれば、最初のテンキーによる電気信号記録を残したまま機械的に且つ一時的に非常解錠することができ、これによって再びテンキーの操作で再度施錠操作することを不要とすることができると共に、カードキーの種類に応じてのガイドピースの取り外しもしくは交換に際し、多数のネジやボルト・ナット等を外してケーシングのカバー全体を外すような面倒な作業を行わなくても、ガイドピースを容易に取り外しもしくは交換することができる。
【００１７】
すなわち、本発明は、シリンダー錠のキー挿入孔の内奥中央部から錠取付プレートにかけて貫通配置され、シリンダー錠内方に向けて常時付勢されて成るリンクレバーピンと、錠取付プレート下面側に回動可能に枢着され、前記リンクレバーピンの先端との連繋部、ロックレバーを押圧する押片部それぞれを備えたリンクレバーとを備え、マスターキーの挿入により、リンクレバーピンが押されてリンクレバーを揺動させ、当該リンクレバーの押片部が、ロックレバーを押圧することで当該ロックレバーをラッチの係合部から係合解除方向に退避させ、マスターキーを介してのラッチの回転を許容させるものとしたので、最初のテンキーによる電気信号記録を残したまま機械的に且つ一時的に非常解錠することができ、これによって再びテンキーの操作で再度施錠操作することを不要とすることができる。
【００１８】
また、ラッチの９０度回転域範囲内においてシリンダー錠の上側（解錠）位置と左側（施錠）位置とに、ソレノイド通電入力用のスイッチがそれぞれ配置され、ラッチが解錠方向または施錠方向に回転したときには、上側（解錠）位置または左側（施錠）位置のスイッチがＯＮ状態となってソレノイドを通電させることでロックレバーでラッチの係合部を係止させて施解錠を阻止するものとしたので、最初のテンキーによる電気信号記録を残したまま一時的に施解錠不能にすることができる。
【００１９】
ケーシングには、ベースプレート後方の複数のガイドピース取付部分を露出させるために形成された開口部を閉蓋させるガイドピースカバーを備え、当該ガイドピースカバーを外して開口部を開放させることでガイドピースの取付位置を変更可能としたので、カードキーの種類に応じてのガイドピースの取り外しもしくは配置の交換に際し、多数のネジやボルト・ナット等を外してケーシングのカバー全体を外すような面倒な作業を行わなくても、ガイドピースを容易に取り外しもしくは交換することができる。
【発明を実施するための最良の形態】
【００２０】
以下、図面を参照して本発明を実施するための最良の一形態を説明する。
本発明に係るカードキー・テンキー式錠前装置（以後、装置本体と称す）は、ケーシング１と、ベースプレート２と、錠取付プレート３と、カードキー１６の抜止め用の作動板４と、錠係止板５と、ソレノイド３１と、ロックレバー３７と、リンクレバー４４と、上下一対のスイッチＳＷ１、ＳＷ２と、係合ピン９を突設したラッチ１０を有するシリンダー錠１１と、ガイドピース１５とを主要構成部材としている。
【００２１】
上記装置本体は、図３および図４に示すように、硬質プラスチックを素材として、前面板１ａ、後面板１ｂ、左右の側面板１ｃ、１ｃおよび底面板１ｄにより上面に開口部１ｅを設けた矩形箱形状に形成されて成るケーシング１の開口部１ｅ側に、図１に示すように、上側にテンキーの操作部用窓部Ｐ１を備え、下側にシリンダー錠１１に隣接してカードキー１６の視認用窓部Ｐ２を備えたカバーＰによって被蓋されて成る。そして、図２に示すように、扉板６の錠前取付所定位置に形成された矩形開口部６ａに内側から装着し、ケーシング１の底面板１ｄの周縁に突設した不図示の取付用ネジ孔部を介して扉体６の矩形開口部６ａにネジで固定される。尚、カバーＰの視認用窓部Ｐ２の内側面には凹溝状の把手Ｐ３が設けられている。
【００２２】
ケーシング１の前面板１ａにはシリンダー錠１１のラッチ１０およびカードキー１６が出入りできるように半欠の切欠き１ｆとカードキー差込口を形成するための完欠の切欠き１ｇとを連設してある。底面板１ｄには、その周縁にベースプレート２、錠取付プレート３および扉板６の不図示の取付用ネジ孔部を突設すると共に、上記切欠き1ｇ後方にカードキー１６の差込みとその保持のため前端を薄く後端に向って漸次厚くなるようにテーパ１ｉに形成してある。
【００２３】
上記ベースプレート２は、図３および図４に示したように、硬質プラスチック材を素材として、その下面前部において上記ケーシング１前面板１ａの切欠き１ｇおよび底面板１ｄのテーパ１ｉと対応するようにテーパ２ａを形成したカードキー係止板２ｂを突設し、その後方および左右両側に略コ字形状のフレーム２ｃ、２ｄ、２ｅを突設することによりカードキー収納部２ｆを形成し、且つカードキー収納部２ｆの収納方向（フレーム２ｄ）に沿って錠係止板５のスライド溝２ｇを形成してある。このスライド溝２ｇは、前方底壁が抜けて長孔２ｈとなっており、その後方両側にはスプリング７の収納凹部２ｉを形成してある。上記したフレーム２ｄ、２ｅの対向側は各々切欠かれており、スライド溝２ｇと連通するように錠係止板５後端の可動凹所２ｊを形成してある。
【００２４】
また、上記フレーム２ｃの略中央部と左右両側との上端には、図１１および図１２に示すように、後述するガイドピース用の、内方より外方へ拡がったテーパ状の嵌合凹部２ｋを形成してある。
【００２５】
一方、上記ベースプレート２は、図４に示すように、その上面前方に作動板４の収納凹部２ｌを形成してある。この収納凹部２ｌ上方の前後方向に上記した長孔２ｈが位置しており、該長孔２ｈに隣接して平面Ｌ字型のガイド突起２ｍが突設されている。また、この収納凹部２ｌの上部後方にバネ掛け２ｎが突設してあり、且つ図３に示すように、前方の略中央に作動板４のカードキーストッパ出入用の孔２ｏを穿設してある。
【００２６】
図中２ｐはベースプレート２の収納凹部２ｌの後方に開設された窓穴、２ｑはこの窓穴２ｐの上面周縁に形成された透明な遮蔽板８の嵌合凹部、２ｒ…はベースプレート２の周縁に上記したケーシング１の取付用ネジ孔部（不図示）と対応して穿設されたネジ孔を各々示す。
【００２７】
上記錠取付プレート３は図３に示したように、金属板よりなり、前方上面の略中央部に、下面に係合ピン９を突設したラッチ１０を有するシリンダー錠１１を垂直に植設してある。また、上記錠取付プレート３の前方には、シリンダー錠１１のキー操作によってラッチ１０が９０度回動するように係合ピン９挿通用の弧状のガイド孔３ａ（図７参照）が、後方には上記ベースプレート２の窓穴２ｐと対応する位置に窓穴３ｂが各開設してある。
【００２８】
上記作動板４は図３および図４に示したように、金属板よりなり、上方およびその下部前方寄りに大小の開口部４ａ、４ｂを各穿設させてあり、大きい開口部４ａの上方には、シリンダー錠１１におけるラッチ１０の係合ピン９が係合する係合凹部４ｃを備えたガイド片４ｄを横方向へ連設してあり、一方、小さい開口部４ｂには、その前端縁を下側へ直角に折曲することでベースプレート２の孔２ｏに出入りするカードストッパ４ｅを突設してある。また、作動板４の上部後端には、ベースプレート２のバネ掛け２ｎに対向するようにバネ掛け４ｆを上方に直角に折曲することで突設してある。この作動板４のバネ掛け４ｆとベースプレート２のバネ掛け２ｎ間にバネ１２を掛け止めすることにより、作動板４は、ベースプレート２上面の収納凹部２ｌにおいて上記シリンダー錠１１の施錠操作により後方へ回動自在に上記バネ１２にて前方へ回動付勢されつつ保持させてある。
【００２９】
上記錠係止板５は図１１および図１２に示したように、金属板よりなり、先端上方に、シリンダー錠１１におけるラッチ１０の係合ピン９を係止するピンストッパ５ａが、後端にカードキー用の係止片５ｂが上記カードキー収納部２ｆ側へ略直角に折曲することにより各形成してある。また、この錠係止板５の略中央部には、長手方向へスプリング７挿入用の長孔５ｃを穿設してある。
【００３０】
図中１３はケーシング１の切欠き１ｇとベースプレート２のカードキー係止板２ｂ間に形成されたカードキーの差入口（図３参照）、１４はシリンダー錠１１のラッチ１０が嵌入するケース体（図２参照）、１５は上記ベースプレート２後方のフレーム２ｃの嵌合凹部２ｋに脱着自在に嵌合するガイドピースを各示す。このガイドピース１５は、図１１乃至図１３に示すように、上記嵌合凹部２ｋに対する嵌合用のテーパ脚１５ａとカードキー用の半球体状の係合体１５ｂとより構成されている。このテーパ脚１５ａをベースプレート２のフレーム２ｃの嵌合凹部２ｋに嵌合することによりガイドピース１５の前方への抜けが阻止される。
【００３１】
また、図１３に示すように、ケーシング１の底面板１ｄには、ベースプレート２後方のフレーム２ｃ部分を露出させるための長方形状の開口部２１が形成され、該開口部２１にガイドピースカバー２２を嵌めて左右をネジ２３で固定するようにしてある。そして、ガイドピースカバー２２を外して開口部２１を開放させてからフレーム２ｃの嵌合凹部２ｋからガイドピース１５を取り外しもしくは交換する。
【００３２】
カードキー１６としては、例えば後端部の中央または左右側に上記ガイドピース１５の係合体１５ｂが適合する係合凹部１６ａを有する専用カードキーと、当該係合凹部１６ａを有しない一般カードキー（クレジットカード、定期券カード等）との２種類のカードキーを使用する。
【００３３】
また、錠取付プレート３上面には、図５および図６に示すように、シリンダー錠１１に隣接してソレノイド３１がロック機構ベース３０を介して取り付けられている。このソレノイド３１は、図８に示すように、可動軸３２がスプリング３３を介して挿入されており、通電による電磁力によって可動軸３２がスプリング３３の弾性力に抗してソレノイド３１内に吸引退避されるものである。そして、当該可動軸３２の先端にはスプリング３３を係止するようにして直角に連結バー３４が嵌着され、該連結バー３４の一端は、錠取付プレート３上においてロック機構ベース３０の起立側面から突出した支軸３５に挿通されて揺動自在とされたソレノイドレバー３６の一端の孔部に回動可能に装着されている。
【００３４】
また、上記支軸３５には、ソレノイドレバー３６に隣接してアーム状のロックレバー３７の基端側の孔部が回動可能に装着され、このロックレバー３７の基端側にＬ字状に折曲形成された作動片３８を、ソレノイドレバー３６の略中央に穿設した幅広な矩形開口状の係止孔部３６ａに任意のガタを持たせて挿入した状態とし、支軸３５に側面からＣリング状の止め輪３９を嵌め込むことによって係止されている。
【００３５】
このロックレバー３７の先端には、Ｌ字片状のロック片３７ａが作動片３８とは９０度向きを変えて形成されており、当該ロックレバー３７が支軸３５の廻りに回動されることによって、ラッチ１０の左右いずれかに形成されている切欠き状の係合部１０ａに係架される（図５、図６参照）。
【００３６】
このとき、ソレノイドレバー３６とロックレバー３７との間における支軸３５には、つるまきバネ４０が巻挿され、該つるまきバネ４０の一端は、ロックレバー３７の基端側に架けられ、他端はソレノイドレバー３６の係止孔部３６ａの内縁部に架けられることにより、作動片３８を係止孔部３６ａの内縁部に常時圧接させている。したがって、ロックレバー３７先端側のＬ字片状のロック片３７ａは、図９および図１０に示すように、ラッチ１０側に向けて常時付勢されている。
【００３７】
また、図５、図６に示すように、ラッチ１０の９０度回転域範囲内においてシリンダー錠１１の上側（解錠）位置と左側（施錠）位置とには、ソレノイド３１通電入力用のスイッチＳＷ１、ＳＷ２がそれぞれ配置されており、ラッチ１０が解錠方向または施錠方向に回転したときには、上側（解錠）位置または左側（施錠）位置のスイッチＳＷ１、ＳＷ２がＯＮ状態となってソレノイド３１を通電させ、電磁力によって可動軸３２がスプリング３３の弾性力に抗してソレノイド３１外に伸長されることでソレノイドレバー３６を介してロックレバー３７のロック片３７ａをラッチ１０の係合部１０ａに係架させる。これによって、ラッチ１０の回転が阻止され、再びキーをシリンダー錠１１に差し込んで廻してもテンキーを解錠操作しない限り、ラッチ１０の切欠き状の係合部１０ａに対するロックレバー３７のロック片３７ａによる係止は維持されるため解錠はできない。
【００３８】
また、図６、図７、図９、図１０に示すように、シリンダー錠１１のキー挿入孔の内奥中央部から錠取付プレート３にかけては、リンクレバーピン４１が不図示のバネで付勢された状態で嵌挿され、錠取付プレート３下面側に互いに対向して配置された軸支板４２に支軸４３を介して回動可能に枢着されたリンクレバー４４の一辺側に突設した連繋部４５にリンクレバーピン４１の先端側が咬持連繋されている。そして、リンクレバー４４の端部には押片部４４ａが突設され、ロックレバー３７の基端側にある三角突起状の係架部３７ｂを当該押片部４４ａによって押圧することで、ロックレバー３７先端側のロック片３７ａを、ラッチ１０の係合部１０ａから係合解除方向に退避させる。
【００３９】
すなわち、リンクレバーピン４１は、キー挿入孔に向けてバネを介して常時付勢されていて、図９に示すように、キー挿入孔へ通常使用キーＫ１を差し込んだ際には、キーＫ１先端はリンクレバーピン４１に接触せずにリンクレバー４４の押片部４４ａは、ロックレバー３７の基端側にある三角突起状の係架部３７ｂを押圧しないものとなって、ロックレバー３７先端側のロック片３７ａとラッチ１０の係合部１０ａとの係合を維持させる。
【００４０】
一方、図１０に示すように、非常解錠の際に、通常使用キーＫ１と比べて若干先端が突出しているマスターキーＫ２がキー挿入孔へ差し込まれた際には、キーＫ２先端はリンクレバーピン４１を押圧し、リンクレバー４４を揺動させ、ロックレバー３７の基端側にある三角突起状の係架部３７ｂをリンクレバー４４の押片部４４ａによって押圧することで、ロックレバー３７先端側のロック片３７ａを、ラッチ１０の係合部１０ａから係合解除方向に退避させ、マスターキーＫ２を介してのラッチ１０の回転を許容させて解錠が可能となる。
【００４１】
次に、以上のように構成された最良の形態についての使用、動作の一例について説明する。
【００４２】
先ず、正規のカードキー１６の挿入とテンキーＫ３の操作による通常使用時の場合について説明する。扉板６を開けて物品をロッカー内に収納し、装置本体のカードキー１６の差込口に正規のカードキー１６を挿入する。このとき、図１１および図１２に示すように、当該カードキー１６後端部中央の係合凹部１６ａがガイドピース１５の係合体１５ｂに係合すると同時に、カードキー１６の後端縁が錠係止板５後端の係止片５ｂに当接して当該錠係止板５をベースプレート２のスライド溝２ｇ内をスプリング７のバネ力に抗して後退させるため、先端のピンストッパ５ａも長孔２ｈ内を後退し、シリンダー錠１１の係合ピン９に対する係止を解除する。また、この状態でのソレノイド３１の可動軸３２は伸長状態となっていて、ラッチ１０はロックレバー３７によって係止されている。
【００４３】
図１に示すテンキーＫ３を４桁押した後、入力ボタンを押すと、ソレノイド３１の可動軸３２が退避してロックレバー３７先端のロック片３７ａがロック解除位置まで上がる。このためラッチ１０はロック片３７ａによる係止が解除されてフリーな状態となる。
【００４４】
差し込まれている通常使用キーＫ１をそのまま左側へ廻し、ラッチ１０を９０度廻して施錠する。これによって扉板６はロックされるが、このラッチ１０を左側へ廻した際に、下側に位置するスイッチＳＷ１の接点が押されてＯＮ状態となり、再びソレノイド３１の可動軸３２は伸長状態となってロックレバー３７先端のロック片３７ａがロック位置まで下がる。このため、ラッチ１０はそのままロック片３７ａによって係合固定されて施錠状態を維持する。
【００４５】
通常使用キーＫ１を引き抜いた後の物品を保管中は勿論、再び当該キーＫ１を差し込んで廻してもテンキーＫ３を解錠操作していないため、ラッチ１０の切欠き状の係合部１０ａに対するロックレバー３７のロック片３７ａによる係止は維持されるため解錠はできない。
【００４６】
そこで、再びテンキーＫ３を押して入力ボタンを押すことにより、ソレノイド３１の可動軸３２が退避してロックレバー３７のロック片３７ａがロック解除位置まで上がり、ラッチ１０に対する係止が外れる。この状態で通常使用キーＫ１を右へ９０度廻すことでラッチ１０による扉板６の施錠状態から解錠状態へ移行する。
【００４７】
このようにしてラッチ１０を９０度右へ廻した際に、上側に位置するもう一つのスイッチＳＷ２の接点が押されてＯＮ状態となり、再びソレノイド３１の可動軸３２は伸長状態となってロックレバー３７先端のロック片３７ａがロック位置まで下がる。したがって、ラッチ１０はロック片３７ａによって係止され、この状態で施錠を行うことは、テンキーＫ３を解錠操作しない限りできなくなる。
【００４８】
次に、長尺マスターキーＫ２の差し込みによる非常解錠時の場合について説明する。
先ず、図９に示すように、キー挿入孔へ通常使用キーＫ１を差し込んでもキー先端はリンクレバーピン４１に接触せずに、リンクレバー４４の押片部４４ａはロックレバー３７の基端側にある三角突起状の係架部３７ｂを押圧しない。したがって、ロックレバー３７先端側のロック片３７ａによるラッチ１０の係合部１０ａの係止は維持され、解錠が不可能な状態となったままである。
【００４９】
一方、図１０に示すように、非常解錠の際に、若干先端が突出しているマスターキーＫ２がキー挿入孔へ差し込まれた際には、マスターキーＫ２先端はリンクレバーピン４１を押圧してリンクレバー４４を揺動させる。そして、ロックレバー３７の基端側にある三角突起状の係架部３７ｂがリンクレバー４４の押片部４４ａによって押圧され、これによってロックレバー３７先端側のロック片３７ａは、ラッチ１０の係合部１０ａから係合解除方向に退避させられる。したがって、マスターキーＫ２を使ってのラッチ１０の回転が許容されて解錠が可能となる。
【００５０】
また、ガイドピース１５を取り外すかあるいは交換する場合には、図１３に示すように、ガイドピースカバー２２の左右のネジ２３を外して当該ガイドピースカバー２２を外して開口部２１を開放し、ベースプレート２後方のフレーム２ｃを露出させてから嵌合凹部２ｋからガイドピース１５を取り外しもしくは交換する。
【００５１】
このとき、図１４に示すように、カードキー１６の後端中央に、ガイドピース１５の係合体１５ｂが適合する係合凹部１６ａを有する専用カードキーを採用する場合には、ガイドピース１５のテーパ脚１５ａをベースプレート２のフレーム２ｃの中央にある嵌合凹部２ｋに嵌合する。
【００５２】
また、図１５に示すように、カードキー１６の後端中央から横側にずれた位置に、ガイドピース１５の係合体１５ｂが適合する係合凹部１６ａを有する専用カードキーを採用する場合には、ガイドピース１５のテーパ脚１５ａを、ベースプレート２のフレーム２ｃの中央よりも横側にずれた位置にある嵌合凹部２ｋに嵌合する。
【図面の簡単な説明】
【００５３】
【図１】本発明に係るカード式錠前装置の実施の一形態を示す正面図である。
【図２】図１のＸ−Ｘ断面図である。
【図３】同じくカード式錠前装置の断面図である。
【図４】専用カードキーの一部と作動板付のベースプレートを示す平面図である。
【図５】同じく錠取付プレートを示す平面図である。
【図６】図５中のＹ−Ｙ断面図である。
【図７】図６中のＺ−Ｚ断面図である。
【図８】ソレノイドの連結バーに、ソレノイドレバー、ロックレバーそれぞれを取り付ける状態を説明する分解斜視図である。
【図９】通常キーを使っての施解錠の状態を示す断面図である。
【図１０】非常解錠の際にマスターキーを使っての施解錠の状態を示す断面図である。
【図１１】専用カードキーの動作前を示す説明図である。
【図１２】同じく専用カードキーの動作後を示す説明図である。
【図１３】ガイドピースカバーをケーシングの開口部に取り付ける状態の一部切欠斜視図である。
【図１４】同じくガイドピースをベースプレート後方のフレーム中央に取り付けた状態の一部切欠平面図である。
【図１５】同じくガイドピースをベースプレート後方のフレーム中央から横にずれた位置に取り付けた状態の一部切欠平面図である。
【符号の説明】
【００５４】
Ｐ１              操作部用窓部
Ｐ２              視認用窓部
Ｐ                カバー
Ｋ１              通常使用キー
Ｋ２              マスターキー
Ｋ３              テンキー
１                ケーシング
１ｄ              底面板
１ｅ              開口部
２                ベースプレート
２ｂ              カードキー係止板
２ｃ、２ｄ、２ｅ  フレーム
２ｆ              カードキー収納部
２ｇ              スライド溝
２ｈ              長孔
２ｊ              可動凹所
２ｌ              収納凹部
２ｎ              バネ掛け
２ｍ              ガイド突起
２ｏ              孔
２ｐ              窓孔
２ｋ              嵌合凹部
３                錠取付プレート
４                作動板
４ｃ              係合凹部
４ｄ              ガイド片
４ｅ              カードキーストッパ
５                錠係止板
５ａ              ピンストッパ
５ｂ              係止片
６                扉板
６ａ              矩形開口部
７                スプリング
９                係合ピン
１０              ラッチ
１０ａ            係合部
１１              シリンダー錠
１２              バネ
１５              ガイドピース
１５ａ            脚
１５ｂ            係合体
１６              カードキー
１６ａ            係合凹部
２１              開口部
２２              ガイドピースカバー
２３              ネジ
３１              ソレノイド
３２              可動軸
３３              スプリング
３４              連結バー
３５              支軸
３６              ソレノイドレバー
３６ａ            係止孔部
３７              ロックレバー
３７ａ            ロック片
３７ｂ            係架部
３８              作動片
３９              止め輪
４１              リンクレバーピン
４２              軸支板
４３              支軸
４４              リンクレバー
４４ａ            押片部
４５              連繋部
【図１】
2008127885.tif 000003
【図２】
2008127885.tif 000004
【図３】
2008127885.tif 000005
【図４】
2008127885.tif 000006
【図５】
2008127885.tif 000007
【図６】
2008127885.tif 000008
【図７】
2008127885.tif 000009
【図８】
2008127885.tif 000010
【図９】
2008127885.tif 000011
【図１０】
2008127885.tif 000012
【図１１】
2008127885.tif 000013
【図１２】
2008127885.tif 000014
【図１３】
2008127885.tif 000015
【図１４】
2008127885.tif 000016
【図１５】
2008127885.tif 000017